(57)【要約】【課題】貯湯給湯装置において、補助熱源機の無駄な燃焼をなくして熱交換効率を向上可能なもの、貯湯タンク内の給湯可能な高温水を有効利用することで貯湯給湯装置の運転効率を向上可能なもの等を提供することである。【解決手段】貯湯タンクの湯水温度が低下した場合に補助熱源機３を利用して貯湯タンク２内の湯水を加熱して給湯する貯湯給湯装置１は、貯湯タンク２内の上部の湯水温度を検知する貯湯タンク湯水温度検知センサ２ｄと、タンク出湯通路２２から補助加熱通路２３に流れる湯水温度を検知する通路湯水温度検知センサ２５と、貯湯タンク湯水温度検知センサ２ｄの検知温度が第１設定温度以下になった場合に、タンク出湯通路２２と補助加熱通路２３とを切り換え可能な三方弁２６を補助加熱通路２３側に切り換え、通路湯水温度検知センサ２５の検知温度が第２設定温度以下になった場合に、補助熱源機３を燃焼開始させる制御ユニット３５とを備えている。【選択図】図１
2015021716.tif 000002
【特許請求の範囲】
【請求項１】
貯湯タンクの上部から給湯通路に接続されるタンク出湯通路と、このタンク出湯通路から分岐され燃焼式の補助熱源機に接続される補助加熱通路と、前記補助熱源機から前記給湯通路に接続される補助熱源機出湯通路と、前記タンク出湯通路と前記補助加熱通路とを切り換え可能な切換手段とを備え、前記貯湯タンクの湯水温度が低下した場合に前記補助熱源機を利用して前記貯湯タンク内の湯水を加熱して給湯する貯湯給湯装置において、
前記貯湯タンク内の上部の湯水温度を検知する為の上部温度検知手段と、前記タンク出湯通路から前記補助加熱通路に流れる湯水温度を検知する為の補助加熱温度検知手段と、前記上部温度検知手段の検知温度が第１設定温度以下になった場合に、前記切換手段を前記補助加熱通路側に切り換え、前記補助加熱温度検知手段の検知温度が第２設定温度以下になった場合に、前記補助熱源機を燃焼開始させる補助熱源機制御手段とを備えたことを特徴とする貯湯給湯装置。
【請求項２】
前記補助加熱温度検知手段は、前記タンク出湯通路の前記補助加熱通路が分岐する分岐部よりも上流側に設置されたことを特徴とする請求項１に記載の貯湯給湯装置。
【発明の詳細な説明】
【技術分野】
【０００１】
本発明は貯湯給湯装置に関し、特に貯湯タンクの湯水温度が低下した場合に燃焼式の補助熱源機を利用して湯水を再加熱して出湯するものに関する。
【背景技術】
【０００２】
従来から、高温水を生成して貯湯し、所望の給湯先に供給可能な貯湯給湯装置が実用に供されている。この種の貯湯給湯装置は、湯水を貯留する為の貯湯タンクと、各種の弁部材や各種の配管類と、貯湯タンク内に貯留された湯水温度が低い場合等に再加熱する為の補助熱源機と、これら機器を内蔵した外装ケースと、高温水を生成する為の外部熱源機等を備えている。
【０００３】
上記の補助熱源機を利用して湯水の再加熱を行う場合、一般的に次のように給湯経路を切り換えて行われる。即ち、貯湯タンク内の給湯可能な高温水の量が減少して、貯湯タンク内の上部の湯水温度が低下した場合、貯湯タンクから補助熱源機をバイパスして給湯先に直接接続される通路から補助熱源機を経由する通路に切り換え、補助熱源機を駆動し、湯水を再加熱して給湯している。
【０００４】
例えば、特許文献１の図４の給湯機では、貯湯タンクと、所望の給湯先に接続される供給水路と、貯湯タンク内の湯水の蓄熱量が低下した場合に再加熱する加熱装置（補助熱源機）と、貯湯タンクから補助熱源機を経由して供給水路に接続される加熱水路と、貯湯タンクから補助熱源機をバイパスして供給水路に接続されるバイパス水路と、加熱水路とバイパス水路との分岐部に設置された分配弁等を備えた構造が開示されている。
【０００５】
上記の特許文献１の給湯機では、貯湯タンク内の湯水の蓄熱量が十分ある場合、分配弁によって加熱水路を全閉状態にすると共にバイパス水路を全開状態にし、貯湯タンク内の湯水の蓄熱量が基準値以下となった場合、先ずは、分配弁によって加熱水路とバイパス水路の両方を開状態にし、加熱水路に残留していた水を排出し、所定時間経過後に加熱水路を全開状態にすると共にバイパス水路を全閉状態にしてから加熱装置を稼動することで、湯水の急激な温度変化を防止する技術が開示されている。
【先行技術文献】
【特許文献】
【０００６】
【特許文献１】特許５１７５１３８号
【発明の概要】
【発明が解決しようとする課題】
【０００７】
ところで、特許文献１の給湯機では、加熱水路の残留水を排出した後に加熱装置を稼動しているが、加熱水路の残留水は、給湯機に使用される既存の配管の長さや径を考慮すると少量である場合が多いので、所定時間経過後に加熱装置を稼働させた際に、貯湯タンクの上部（貯湯タンク内の上部の湯水温度を検知する為の湯水温度検知センサが設置された部分よりも上側部分）から加熱水路とバイパス水路との分岐部に至る間に、給湯可能な高温水が残っている可能性がある。
【０００８】
しかし、貯湯タンクの上部から分岐部に至る間に高温水が残っている状態で補助熱源機の燃焼を開始すると、補助熱源機によって給湯可能な高温水を加熱することになるので、貯湯タンク内の高温水を無駄にしてしまう上、補助熱源機の熱交換効率（燃焼効率）の低下を招き、結果的に貯湯給湯装置の運転効率が低下し、省エネ性に欠けるという問題が生じる。
【０００９】
本発明の目的は、貯湯給湯装置において、補助熱源機の無駄な燃焼をなくして熱交換効率を向上可能なもの、貯湯タンク内の給湯可能な高温水を有効利用することで貯湯給湯装置の運転効率を向上可能なもの、等を提供することである。
【課題を解決するための手段】
【００１０】
請求項１の貯湯給湯装置は、貯湯タンクの上部から給湯通路に接続されるタンク出湯通路と、このタンク出湯通路から分岐され燃焼式の補助熱源機に接続される補助加熱通路と、前記補助熱源機から前記給湯通路に接続される補助熱源機出湯通路と、前記タンク出湯通路と前記補助加熱通路とを切り換え可能な切換手段とを備え、前記貯湯タンクの湯水温度が低下した場合に前記補助熱源機を利用して前記貯湯タンク内の湯水を加熱して給湯する貯湯給湯装置において、前記貯湯タンク内の上部の湯水温度を検知する為の上部温度検知手段と、前記タンク出湯通路から前記補助加熱通路に流れる湯水温度を検知する為の補助加熱温度検知手段と、前記上部温度検知手段の検知温度が第１設定温度以下になった場合に、前記切換手段を前記補助加熱通路側に切り換え、前記補助加熱温度検知手段の検知温度が第２設定温度以下になった場合に、前記補助熱源機を燃焼開始させる補助熱源機制御手段とを備えたことを特徴としている。
【００１１】
請求項２の貯湯給湯装置は、請求項１の発明において、前記補助加熱温度検知手段は、前記タンク出湯通路の前記補助加熱通路が分岐する分岐部よりも上流側に設置されたことを特徴としている。
【発明の効果】
【００１２】
請求項１の発明によれば、貯湯タンク内の上部の湯水温度を検知する為の上部温度検知手段と、タンク出湯通路から補助加熱通路に流れる湯水温度を検知する為の補助加熱温度検知手段と、上部温度検知手段の検知温度が第１設定温度以下になった場合に、切換手段を補助加熱通路側に切り換え、補助加熱温度検知手段の検知温度が第２設定温度以下になった場合に、補助熱源機を燃焼開始させる補助熱源機制御手段とを備えたので、補助熱源機制御手段によって、貯湯タンク内の上部の湯水温度とタンク出湯通路から補助加熱通路に流れる湯水温度の２箇所の湯水温度の低下に応じて、補助熱源機の燃焼を開始させることができる。
【００１３】
従って、貯湯タンク内の上部の湯水温度が低下し、補助熱源機による湯水の再加熱が必要と判定した場合でも、タンク出湯通路から補助加熱通路に流れる湯水温度が低下するまでは、貯湯タンク内の給湯可能な高温水を補助熱源機で再加熱せずに給湯通路に給湯することができる。故に、補助熱源機の無駄な燃焼をなくすことで、補助熱源機の熱交換効率が向上して、省エネ性も向上し、貯湯タンク内の給湯可能な高温水を極力有効利用することで、貯湯給湯装置の運転効率が向上する。
【００１４】
請求項２の発明によれば、補助加熱温度検知手段は、タンク出湯通路の補助加熱通路が分岐する分岐部よりも上流側に設置されたので、貯湯タンク内の上部からタンク出湯通路に出湯された直後の湯水温度を検知することで、貯湯タンク内に残留している給湯可能な高温水を極力使用することができ、貯湯給湯装置の運転効率がさらに向上する。
【図面の簡単な説明】
【００１５】
【図１】本発明の実施例に係る貯湯給湯装置の概略構成図である。
【図２】給湯運転制御のフローチャートである。
【発明を実施するための形態】
【００１６】
以下、本発明を実施するための形態について実施例に基づいて説明する。
【実施例】
【００１７】
先ずは、本発明の貯湯給湯装置１の全体構成について説明する。
図１に示すように、貯湯給湯装置１は、貯湯、給湯、床暖房パネル等の温水暖房端末への温水の供給等の機能を有するものであり、貯湯タンク２を備えたタンクユニット１Ａ、貯湯タンク２内の湯水を加熱する為の外部熱源機１０、タンクユニット１Ａと外部熱源機１０とを接続する湯水循環回路６等を備えている。
【００１８】
タンクユニット１Ａは、貯湯タンク２、補助熱源機３、暖房用熱交換器４、給水経路５、湯水循環回路６、給湯経路７、暖房水を床暖房パネル等に供給する温水暖房回路８、温水暖房回路８の暖房水を加熱する熱利用循環回路９等を備え、これら大部分は外装ケース１１内に一体的に収納されている。尚、外部熱源機１０としては、ヒートポンプ式熱源機や燃料電池発電ユニットの排熱回収熱交換器等が活用される。
【００１９】
次に、貯湯タンク２について説明する。
図１に示すように、貯湯タンク２は、外部熱源機１０で加熱された高温水（例えば、８０〜９０℃）を貯留可能な密閉タンクで構成され、貯留された湯水の放熱を防ぐ為にタンク周囲は断熱材で覆われている。
【００２０】
貯湯タンク２の外周部には、下側から上側に向かって等間隔に貯湯タンク湯水温度検知センサ２ａ〜２ｄが順に設けられ、これら複数の貯湯タンク湯水温度検知センサ２ａ〜２ｄにより貯湯タンク２内の複数の貯留層の湯水の温度が検出される。尚、複数の貯湯タンク湯水温度検知センサ２ａ〜２ｄのうちの最上部の貯湯タンク湯水温度検知センサ２ｄが、本発明の貯湯タンク２内の上部の湯水温度を検知する為の上部温度検知手段に相当するものである。
【００２１】
補助熱源機３は、バーナーや熱交換器等を内蔵した公知のガス給湯器で構成されている。補助熱源機３は、貯湯タンク２内の湯水温度が低下した場合等の特別な場合に限り、制御ユニット３５から指令が送信されて燃焼作動され、湯水を加熱するものである。
【００２２】
暖房用熱交換器４は、温水暖房回路８を流れる暖房水を加熱するものであり、熱利用循環回路９の一部となる熱交換通路部４ａと、温水暖房回路８の一部となる熱交換通路部４ｂとを有している。この暖房用熱交換器４において、熱利用循環回路９を流れる高温水と温水暖房回路８を流れる暖房水との間で熱交換され、暖房水が加熱される。
【００２３】
次に、給水経路５について説明する。
図１に示すように、給水経路５は、上水源から低温の上水を貯湯タンク２に供給するものであり、上流給水通路部５ａ、中間給水通路部５ｂ、下流給水通路部５ｃを有している。上流給水通路部５ａの上流端が上水源に接続され、下流給水通路部５ｃの下流端が貯湯タンク２の下部に接続されている。上流給水通路部５ａと中間給水通路部５ｂとの間から給湯経路７に接続するバイパス通路部１２が分岐されている。上流給水通路部５ａには、開閉弁５ｅが設置され、通常は開閉弁５ｅは開弁されていて、低温の湯水を貯湯タンク２内に供給するようになっている。中間給水通路部５ｂには、逆止弁５ｄが設置され、バイパス通路部１２には、逆止弁１２ａが設置されている。
【００２４】
中間給水通路部５ｂと下流給水通路部５ｃとの間から熱利用循環回路９に接続するバイパス通路部１４が分岐され、この分岐部には、蓄熱切換弁１５が設置されている。このバイパス通路部１４により、低温の上水を熱利用循環回路９に供給することができ、また逆に、熱利用循環回路９から湯水を貯湯タンク２に戻すことができる。尚、下流給水通路部５ｃから外部に連なる排水通路３１が分岐され、この排水通路３１に貯湯タンク２の排水を行う為の手動式又は自動式の排水弁３２が設置され、通常は排水弁３２は閉弁されている。
【００２５】
次に、湯水循環回路６について説明する。
図１に示すように、湯水循環回路６は、貯湯タンク２と外部熱源機１０との間に湯水を循環させて加熱する閉回路であり、上流低温側循環通路部６ａ、ユニット外低温側循環通路部６ｂ、下流低温側循環通路部６ｃ、上流高温側循環通路部６ｄ、ユニット外高温側循環通路部６ｅ、下流高温側循環通路部６ｆ等を有している。上流低温側循環通路部６ａの上流端が貯湯タンク２の下部に接続され、下流高温側循環通路部６ｆの下流端が貯湯タンク２の上部に接続されている。
【００２６】
上流低温側循環通路部６ａと下流高温側循環通路部６ｆは、外装ケース１１内に設置されている。上流低温側循環通路部６ａから下流高温側循環通路部６ｆに接続する分岐通路部１６が分岐され、この分岐部には、貯湯タンク２を含めた循環回路と貯湯タンク２をバイパスする循環回路とを択一的に選択可能な三方弁１７が設置されている。上流低温側循環通路部６ａの三方弁１７の下流側に循環ポンプ１８が設置されている。
【００２７】
下流低温側循環通路部６ｃと上流高温側循環通路部６ｄは、外部熱源機１０の外装ケース１０ａ内に設置されている。下流低温側循環通路部６ｃと上流高温側循環通路部６ｄとの間に外部熱源機１０の熱交換部１０ｂが設けられている。
【００２８】
外装ケース１１に１対の継手１９ａ，１９ｂが設置され、外部熱源機１０の外装ケース１０ａにも１対の継手１９ｃ，１９ｄが設置されている。ユニット外低温側循環通路部６ｂの両端部は継手１９ａ，１９ｃに連結され、ユニット外高温側循環通路部６ｅの両端部は継手１９ｂ，１９ｄに連結されている。各継手１９ａ〜１９ｄには、水抜き栓が夫々設けられている。
【００２９】
次に、給湯経路７について説明する。
図１に示すように、給湯経路７は、貯湯タンク２内に貯湯された湯水を風呂等の所望の給湯先に供給するものであり、給湯栓に接続される給湯通路２１、貯湯タンク２の上部から給湯通路２１に接続されるタンク出湯通路２２、このタンク出湯通路２２から分岐され燃焼式の補助熱源機３に接続される補助加熱通路２３、補助熱源機３から給湯通路２１に接続される補助熱源機出湯通路２４等を有している。
【００３０】
給湯通路２１は、高温水が流れる上流給湯通路部２１ａ、混合湯水が流れる下流給湯通路部２１ｂを有し、上流給湯通路部２１ａの上流端がタンク出湯通路２２の下流端に接続され、下流給湯通路部２１ｂの下流端が給湯栓に接続されている。上流給湯通路部２１ａと下流給湯通路部２１ｂとの間には、混合弁２５が設置されている。この混合弁２５に給水経路５から分岐したバイパス通路部１２が接続されている。混合弁２５は、出湯温度が指令温度になるように水と高温水の混合比を制御するものである。下流給湯通路部２１ｂには、流量センサ２１ｃが設置されている。
【００３１】
タンク出湯通路２２は、上流出湯通路部２２ａ、下流出湯通路部２２ｂを有し、上流出湯通路部２２ａの上流端が貯湯タンク２の上部に接続され、下流出湯通路部２２ｂの下流端が上流給湯通路部２１ａの上流端に接続されている。上流出湯通路部２２ａと下流出湯通路部２２ｂとの間から補助加熱通路２３が分岐されている。タンク出湯通路２２の補助加熱通路２３が分岐する分岐部よりも上流側であって上流出湯通路部２２ａには、タンク出湯通路２２から補助加熱通路２３に流れる湯水温度を検知する為の通路湯水温度検知センサ２５（補助加熱温度検知手段に相当する）が設置されている。
【００３２】
補助加熱通路２３は、上流加熱通路部２３ａ、下流加熱通路部２３ｂを有し、上流加熱通路部２３ａの上流端がタンク出湯通路２２に接続され、下流加熱通路部２３ｂの下流端が補助熱源機３の導入口に接続されている。上流加熱通路部２３ａと下流加熱通路部２３ｂとの間にタンク出湯通路２２と補助加熱通路２３とを切り換え可能な三方弁２６（切換手段に相当する）が設置されている。三方弁２６には、熱利用循環回路９の湯水戻り側通路部９ｂの下流端も接続されている。この三方弁２６は、上流加熱通路部２３ａと下流加熱通路部２３ｂとの間の接続・遮断及び下流加熱通路部２３ｂと湯水戻り側通路部９ｂとの間の接続・遮断を切換可能なものである。下流加熱通路部２３ｂには、圧送ポンプ２７が設置されている。
【００３３】
補助熱源機出湯通路２４は、上流補助出湯通路部２４ａ、下流補助出湯通路部２４ｂを有し、上流補助出湯通路部２４ａの上流端が補助熱源機３の導出口に接続され、下流補助出湯通路部２４ｂの下流端が上流給湯通路部２１ａの上流端に接続されている。上流補助出湯通路部２４ａと下流補助出湯通路部２４ｂとの間から熱利用循環回路９の湯水往き側通路部９ａが分岐されている。下流補助出湯通路部２４ｂにタンク水比例弁２８が設置されている。
【００３４】
次に、温水暖房回路８について説明する。
図１に示すように、温水暖房回路８は、床暖房パネルや浴室乾燥機等に供給される暖房水を循環させる回路であり、暖房戻り側通路部８ａ、暖房往き側通路部８ｂを有している。暖房戻り側通路部８ａと暖房往き側通路部８ｂとの間に暖房用熱交換器４の熱交換通路部４ｂが設置されている。
【００３５】
次に、熱利用循環回路９について説明する。
図１に示すように、熱利用循環回路９は、湯水を循環させて温水暖房回路８との間で熱交換を行う閉回路であり、湯水往き側通路部９ａ、湯水戻り側通路部９ｂ、補助加熱通路２３の下流加熱通路部２３ｂ、補助熱源機出湯通路２４の上流補助出湯通路部２４ａを有している。湯水往き側通路部９ａと湯水戻り側通路部９ｂとの間に、暖房用熱交換器４の熱交換通路部４ａが接続されている。
【００３６】
次に、制御ユニット３５について説明する。
図１に示すように、貯湯給湯装置１は、制御ユニット３５によって制御される。各種のセンサの検知信号が制御ユニット３５に送信され、この制御ユニット３５により、貯湯給湯装置１の動作、各種のポンプの作動・停止、各種の弁の開閉状態の切り換え及び開度調整等を制御し、各種運転（給湯運転、湯水加熱運転、暖房運転、排水運転等）を実行する。
【００３７】
次に、補助熱源機３を利用した給湯運転制御について、図２のフローチャートに基づいて説明する。尚、図中の符号Ｓｉ（ｉ=１，２，・・）は各ステップを示す。この給湯運転制御の制御プログラムは、制御ユニット３５に予め格納されている。
【００３８】
図２のフローチャートにおいて、この制御が開始されると、最初にＳ１において、ユーザーの操作や各種のセンサの検知信号に基づいて給湯運転開始条件成立か否か判定される。Ｓ１の判定がＹｅｓの場合、つまり、給湯運転を開始する為の条件が成立している場合は、Ｓ２に移行し、Ｓ１の判定がＮｏのうちはＳ１を繰り返す。
【００３９】
次に、Ｓ２において、給湯運転を開始し、Ｓ３に移行する。即ち、給湯栓の開放に伴い、貯湯タンク２にかかる給水圧によって貯湯タンク２の上部から高温水がタンク出湯通路２２に押し出され、この高温水は、タンク出湯通路２２を通って給湯通路２１に流入し、混合弁２５において低温の上水と混合されて温度調整され、この温度調整された湯水が給湯栓から給湯される。
【００４０】
次に、Ｓ３において、貯湯タンク湯水温度検知センサ２ｄの検知信号を読み込み、この検知信号に基づいて、貯湯タンク２内の上部に貯留されている湯水温度（検知温度）Ｔａを算出して、Ｓ４に移行する。
【００４１】
次に、Ｓ４において、貯湯タンク２内の上部の湯水温度Ｔａが、給湯設定温度（例えば４０℃）に所定の設定温度α（例えば５℃）加えた第１設定温度以下か否かを判定する。Ｓ４の判定がＹｅｓの場合、つまり、貯湯タンク２内の高温水の量が減少し、高温水が貯湯タンク２内において貯湯タンク湯水温度検知センサ２ｄの上側の容積分しか残っていない場合は、Ｓ５に移行する。
【００４２】
尚、Ｓ４の判定がＮｏの場合、つまり、貯湯タンク２内に高温水が十分に残っている場合は、Ｓ６に移行して、給湯運転終了条件成立か否か判定される。Ｓ６の判定がＹｅｓの場合、Ｓ１２に移行して、給湯運転を終了する。Ｓ６の判定がＮｏの場合、つまり、給湯運転を継続する場合は、Ｓ３に移行して、Ｓ３とＳ４を繰り返し実行する。
【００４３】
次に、Ｓ５において、湯水温度Ｔａが第１設定温度以下になった場合に、制御ユニット３５は、貯湯給湯装置１を燃焼準備モードに設定する。即ち、三方弁２６を補助加熱通路２３側（上流加熱通路部２３ａと下流加熱通路部２３ｂとの接続）に切り換え、タンク水比例弁２８を閉止（最大限絞った状態）し、蓄熱切換弁１５をバイパス通路部１４側開放（バイパス通路部１４と下流給水通路部５ｃとの接続）に切り換え、圧送ポンプ２７を駆動し、補助熱源機３を燃焼準備（ファンを駆動して燃焼室内の未燃ガス等を排気することで着火直前状態とするプリパージ）を行って、Ｓ７に移行する。
【００４４】
Ｓ５では、貯湯タンク２内における貯湯タンク湯水温度検知センサ２ｄから上側の容積分の高温水は、第１設定温度超の給湯可能な温度を保持しているので、補助熱源機３を稼動（燃焼開始）する必要がなく、高温水は再加熱せずに給湯可能である。
【００４５】
このため、Ｓ５の燃焼準備段階では、貯湯タンク２の上部から出湯した湯水は、下流出湯通路部２２ｂを流れて給湯通路２１に供給されると共に、圧送ポンプ２７の駆動に伴い、上流出湯通路部２２ａから補助加熱通路２３へ流れ、燃焼準備状態の補助熱源機３を経由して、上流補助出湯通路部２４ａに流れ込む。タンク水比例弁２８は最大限絞った状態なので、補助加熱通路２３、補助熱源機３、上流補助出湯通路部２４ａの残留水は、貯湯タンク２からの湯水に押し出されて、湯水往き側通路部９ａ、湯水戻り側通路部９ｂ、バイパス通路部１４、下流給水通路部５ｃを通って貯湯タンク２の下部に戻される。タンク水比例弁２８は絞った状態なので、上流補助出湯通路部２４ａから下流補助出湯通路部２４ｂに貯湯タンク２からの湯水が僅かながら流れる。
【００４６】
このように、Ｓ５の燃焼準備段階で、上流補助出湯通路部２４ａと補助出湯通路部２４ａの湯水温度を上昇させることで、補助熱源機３の燃焼開始時に補助熱源機出湯通路２４から給湯通路２１に低温の湯水が流入するのを防止することができ、さらに、補助熱源機３が着火直前状態であるので、給湯可能な湯水を使い切り低温の湯水が補助熱源機３に流入したら直ぐに着火することができ、故に、給湯特性の悪化を防止することができる。
【００４７】
次に、Ｓ７において、通路湯水温度検知センサ２５の検知信号を読み込み、この検知信号に基づいて、タンク出湯通路２２の上流出湯通路部２２ａを流れる湯水温度（検知温度）Ｔｂを算出して、Ｓ８に移行する。
【００４８】
次に、Ｓ８において、タンク出湯通路２２の上流出湯通路部２２ａを流れる湯水温度Ｔｂが、給湯設定温度に所定の設定温度β（例えば１℃）加えた第２設定温度以下か否かを判定する。Ｓ８の判定がＹｅｓの場合、つまり、貯湯タンク２内における貯湯タンク湯水温度検知センサ２ｄから上側の容積分の高温水が出湯され、タンク出湯通路２２の湯水温度Ｔｂが低下した場合は、Ｓ９に移行する。
【００４９】
尚、Ｓ８の判定がＮｏの場合、つまり、貯湯タンク２内に給湯可能な高温水が残っている場合は、Ｓ１０に移行して、給湯運転終了条件成立か否か判定され、Ｓ１０の判定がＹｅｓの場合、Ｓ１２に移行して、給湯運転を終了する。Ｓ８の判定がＮｏの場合、つまり、給湯運転を継続する場合は、Ｓ７に移行して、Ｓ７とＳ８を繰り返し実行する。
【００５０】
次に、Ｓ９において、湯水温度Ｔｂが第２設定温度以下になった場合に、制御ユニット３５は、貯湯給湯装置１を燃焼開始モードに設定する。即ち、蓄熱切換弁１５をバイパス通路部１４側閉止（バイパス通路部１４と下流給水通路部５ｃとの接続遮断）に切り換え、タンク水比例弁２８を開放し、補助熱源機３を燃焼開始させて、Ｓ１１に移行する。即ち、貯湯タンク２内の上部から給湯可能な高温水が出湯されて、第２設定温度超の高温水が上流出湯通路部２２ａを流れるが、この高温水の量は徐々に減少していくので、湯水温度Ｔｂは徐々に低下し、第２設定温度以下になった場合に、燃焼開始モードに設定する。すると、貯湯タンク２から出湯した湯水は、下流出湯通路部２２ｂを殆ど流れずに補助加熱通路２３を流れ、補助熱源機３で加熱され、この加熱された湯水（例えば７５度）が補助熱源機出湯通路２４を流れて給湯通路２１に流入する。
【００５１】
Ｓ１１において、給湯運転終了条件成立か否か判定され、Ｓ１１の判定がＮｏのうちはＳ１１の判定を繰り返し、Ｓ１１の判定がＹｅｓの場合、Ｓ１２に移行して、給湯運転を終了する。尚、制御ユニット３５、制御プログラムのＳ３〜Ｓ９等が本発明の補助熱源機制御手段に相当するものである。
【００５２】
次に、本発明の貯湯給湯装置１の作用及び効果について説明する。
貯湯給湯装置１は、貯湯タンク２内の上部の湯水温度を検知する為の貯湯タンク湯水温度検知センサ２ｄと、タンク出湯通路２２から補助加熱通路２３に流れる湯水温度を検知する為の通路湯水温度検知センサ２５と、貯湯タンク湯水温度検知センサ２ｄの検知温度が第１設定温度以下になった場合に、三方弁２６を補助加熱通路２３側に切り換え、通路湯水温度検知センサ２５の検知温度が第２設定温度以下になった場合に、補助熱源機３を燃焼開始させる制御ユニット３５（補助熱源機制御手段）とを備えたので、制御ユニット３５によって、貯湯タンク２内の上部の湯水温度とタンク出湯通路２２から補助加熱通路２３に流れる湯水温度の２箇所の湯水温度の低下に応じて、補助熱源機３の燃焼を開始させることができる。
【００５３】
従って、貯湯タンク２内の上部の湯水温度が低下し、補助熱源機３による湯水の再加熱が必要と判定した場合でも、タンク出湯通路２２から補助加熱通路２３に流れる湯水温度が低下するまでは、貯湯タンク２内の給湯可能な高温水を補助熱源機３で再加熱せずに給湯通路２１に給湯することができる。故に、補助熱源機３の無駄な燃焼をなくすことで、補助熱源機３の熱交換効率が向上して、省エネ性も向上し、貯湯タンク２内の給湯可能な高温水を極力有効利用することで、貯湯給湯装置１の運転効率が向上する。
【００５４】
また、通路湯水温度検知センサ２５は、タンク出湯通路２２の補助加熱通路２３が分岐する分岐部よりも上流側に設置されたので、貯湯タンク２内の上部からタンク出湯通路２２に出湯された直後の湯水温度を検知することで、貯湯タンク２内に残留している給湯可能な高温水を極力使用することができ、貯湯給湯装置１の運転効率がさらに向上する。
【００５５】
次に、前記実施例を部分的に変更した形態について説明する。
［１］前記実施例において、三方弁２６は、補助加熱通路２３の下流加熱通路部２３ｂに設置されているが、特にこの構造に限定する必要はなく、タンク出湯通路２２から補助加熱通路２３が分岐した分岐部に三方弁２６を設置しても良い。
【００５６】
［２］前記実施例において、通路湯水温度検知センサ２５は、タンク出湯通路２２の上流出湯通路部２２ａに設置されているが、特にこの構造に限定する必要はなく、補助加熱通路２３の三方弁２６の上流側に設置しても良い。
【００５７】
［３］前記実施例において、第１，第２設定温度はほんの一例を示したに過ぎず、第１，第２設定温度が給湯可能な温度以下にならなければ、第１，第２設定温度は適宜変更可能である。
【００５８】
［４］その他、当業者であれば、本発明の趣旨を逸脱することなく、前記実施例に種々の変更を付加した形態で実施可能であり、本発明はそのような変更形態を包含するものである。
【符号の説明】
【００５９】
１      貯湯給湯装置
２      貯湯タンク
２ｄ    貯湯タンク湯水温度検知センサ
３      補助熱源機
１０    外部熱源機
２１    給湯通路
２２    タンク出湯通路
２３    補助加熱通路
２４    補助熱源機出湯通路
２５    通路湯水温度検知センサ
２６    三方弁
２７    圧送ポンプ
３５    制御ユニット
【図１】
2015021716.tif 000003
【図２】
2015021716.tif 000004